(57)【特許請求の範囲】
【請求項１】
マルチノードネットワーク上におけるウェブベースの商取引及び手数料の追跡をサポートするためのデータ処理システムにおいて、
前記ネットワークに接続されたコンテンツプロバイダサーバへの通信をサポートするための第１の清算サーバコミュニケーションリンクを含み、
ａ．前記コンテンツプロバイダサーバは、ネットワークを通してコンテンツプロバイダウェブサイトを提供するように構成されると共に、ユーザのウェブブラウザに前記コンテンツプロバイダウェブサイトのデータを送るようにプログラムされ、前記データは宣伝及び該宣伝と関連付けられたリンク指示を含み、前記リンク指示は、前記ウェブブラウザをシームレス形態で清算サーバに向けさせるべく清算サーバに要求を送り、続いて前記宣伝と関連付けられた業者サーバに対して要求を送ることを前記ウェブブラウザにさせるためのものであり、
ｂ．前記ネットワークに接続された前記清算サーバは前記ユーザのウェブブラウザからの要求を受けると共に、前記ウェブブラウザを前記業者サーバに向けさせ、前記清算サーバは更に、前記宣伝と関連付けられた前記要求に関する不正行動を検出する不正検出プログラミングを有し、前記不正検出プログラミングは、前記要求の生成にジャバスクリプトが関与していることを前記コンテンツプロバイダウェブサイトが示しているかを検出するための前記コンテンツプロバイダウェブサイトのスキャニングを含み、
ｃ．前記データ処理システムは更に、前記ネットワークに接続された業者サーバへの通信をサポートするための第２の清算サーバコミュニケーションリンクを含み、前記業者サーバは、ネットワークを通して業者ウェブサイトを提供するように構成され、前記業者ウェブサイトはユーザに対して商品、サービスの少なくとも一方を提供することができることを特徴とするデータ処理システム。
【請求項２】
請求項１に記載のデータ処理システムにおいて、前記不正検出プログラミングは、クリック・パターンの評価を含むことを特徴とするデータ処理システム。
【請求項３】
請求項１に記載のデータ処理システムにおいて、前記不正検出プログラミングは、宣伝の選択でなされたクリックの間隔を追跡することを特徴とするデータ処理システム。
【請求項４】
請求項３に記載のデータ処理システムにおいて、前記不正検出プログラミングは、単一のＩＰアドレスから連続的なクリックを検出することを特徴とするデータ処理システム。
【発明の詳細な説明】
【技術分野】
【０００１】
本発明は一般に、相互に接続した複数のコンピュータで取引される商取引の統合的な管理を行うデータ処理システムに関する。本発明は特に、１９９９年１１月２３日に発行され、“公衆アクセスネットワークにおける商取引の追跡・管理を統合的に行うデータ処理システム”と題されたＵＳ特許番号５９９１５４０に開示されたネットワークコンピュータシステム及び本申請のシステムに対して性能の改良と向上をもたらす。より詳しくは、インターネットのような、公衆又は私設のアクセスネットワークを介した、広範な、商品及びサービスの宣伝に関する、照会追跡及び制御システムに関する。
【背景技術】
【０００２】
本発明は、ウェブページへの相互接続と、購入を行うことが可能なウェブ・サイトを選択するためのクリック・スルーによるナビゲーションとを含むウェブ上におけるユーザの選択の活動を追跡する能力を含む。これらの進歩と利点にも関わらず、ウェブ上での商取引には更なる進展の見込みがある。提携（ａｆｆｉｌｉａｔｅ）プログラムの実現における現在のいくつかの困難な点を認識することは、ここで示される革新をもたらす。
【発明の開示】
【発明が解決しようとする課題】
【０００３】
本発明の目的は、共用ネットワークを介して相互接続された複数のコンピュータ・ワークステーションの間でなされる精選した取引を追跡、管理、監査するためのデータ処理システムを提供することにある。
【０００４】
本発明の更なる目的は、コンテンツ提供者がパーティの間の宣伝の協定に従っているのかどうかを業者が確認するためのツールを提供することにある。
【０００５】
本発明の更なる目的は、提携の保証された不正を検出する手段を提供することにあり、関連する典型的な不正は、バナーあるいは同様の宣伝部分での印象付け、販売数の少なくとも一方、クリック数を人為的に累積するためにジャバスクリプトを使用するプロセスの使用を含む。
【０００６】
本発明の更なる目的は、業者の特定の符号、すなわち消費者の個々の追跡のために業者によって使用される符号にリンクする符号化を行うシステムを提供することにある。
【０００７】
本発明の更なる目的は、内部リンクベースのデータ転送の変換をリアルタイムで提供すること、すなわち、現在の提携プログラム（ａｆｆｉｌｉａｔｅ  ｐｒｏｇｒａｍ）のための新規のコード編成に対し従来の提携プログラムで使用された内部コードを計画することにある。これは、新規のプログラム・マネージャに切り換える際に予め存在しているコード編成を維持し、利用することに応用可能である。
【０００８】
本発明の更なる目的は、リンクＵ１のデータ・フィールドに記憶され、ネーム：バリューのペアで提供されたユーザ、サイトの少なくとも一方の情報を含む選択データを追跡するシステムを提供することにある。データベースのデータを収集することに２つのメカニズムが用いられる。第一のアプローチは、ウェブの経路を決定するためのクッキー（ｃｏｏｋｉｅｓ）、あるいはまたユーザ／サイトのデータを収集することに利用され得る、データの自発的な入力を得るための宣伝の競争を用いる刺激的な形態を用いてユーザの照会を追跡する。一旦確立されると、クローズドループのマーケティングは、記憶されたプロファイルに基づき特定のユーザを広告のターゲットとすることができる。適切に形成されると、第一の業者からの購買の要望に関する記憶されたデータを利用して、一度のクリックによる購買を補助し、ユーザが照会するその後の業者にも応用することが可能である。
【０００９】
本発明の更なる目的は、インターネット上で購入される特定の商品あるいはサービスの購入価格の一部についてユーザがコントロールすることを可能にするシステムを提供することにある。ウェブ・サイトは、そのメンバーがオンラインでの購買ごとにメンバーの選択のチャリティーに照会の手数料の一部を寄贈することができるように提供される。
【００１０】
本発明の目的は、取引ごとに確立されたパーセンテージを再割当てするために、誠実に設定されたプログラムを備える提携ウェブ・サイトとチャリティー・サイトをターゲットとし、追跡することにある。
【００１１】
本発明の目的は、ＵＲＬアドレスの末端に識別子を提供し、共用のネットワークを介して相互接続した複数のコンピュータ・ワークステーションの間における取引の選択を追跡し、管理する改良されたデータ処理を可能とすることにある。
【課題を解決するための手段】
【００１２】
これらの目的を達成させるべく、本発明は、コミュニケーションのために相互接続されたひとつあるいはそれ以上のサーバを管理するように設計、形成されたデータ処理システムを含む。データ処理システムは、コンテンツプロバイダのウェブ・サイトにおけるユーザのクリック・スルーによって関連する取引及び業者からの商品あるいはサービスの購入を追跡、管理、監査するようにプログラムされた精算サーバを含む。精算サーバは、ユーザに関する活動のレベルを追跡、通知し、所定の期間内に行われた取引について指示を行う参加者の周期的な収支計算を行うステートメントを生成するようにプログラムされている。更に、精算サーバは、ウェブ・サイトの訪問者の追跡を可能とするために情報の選択タグ付けの使用を組み入れ、精査の下で行われる特定の取引を追跡、登録するためにプログラムされている。典型的な例では、識別子は選択符号化されたデータを含み、ユーザがリンクにアクセスしている間にユーザのハードディスクに挿入される「ｃｏｏｋｉｅ」（または同様の追跡デバイス）の形態をとっても良い。更に、精算サーバは、業者とコンテンツ・サーバが、彼らが共同で行う商品宣伝、及び商取引上の努力に関する条件を容易に満たすことができ、個別的には、これらの外的関係を内部的に監視することができるプラットフォームを提供するようにプログラムされている。
【００１３】
本発明はまた、参加者の間の取引を監視及び追跡すると共に、所定のセットの取引基準に従って参加者に報酬を提供する、別個にプログラムされた複数の分散したサイトを有する分離データ処理システムの使用を含む。パーティの間の宣伝の協定に関する適切な手段を保証するために、システムは選択的に、選択サイトを移動し、コンテンツを決定するコンテンツプロバイダのページをダウンロードするウェブ・スパイダーを実行する。そして、コンテンツが不適切な題材あるいは宣伝の協定に相反する内容を含むかどうかを決定するために分析が実行される。そして更に選択的に、システムは、宣伝において人為的に複数の「クリック」を生成し、自動的にウェブページリンクコードを誘起し、接続する提携ページ上のジャバスクリプトを検出する不正検出処理を含む。
【００１４】
本発明の他の目的、特徴、利点は、本明細書の説明が移行するに従い、付随する図面、特定の実施例の詳細な説明、添付された請求項に関連して考慮される際に明らかになる。
【００１５】
図面は、本発明を実行するにあたって熟慮される最良の形態で示されている。
【発明を実施するための最良の形態】
【００１６】
まず、本発明の概要を簡単に説明する。本発明は、参加者の間の取引を監視し、同時に追跡するよう別個にプログラムされた複数の分散したサイトを含む分離データ処理システムの使用を含み、所定の取引基準の組に基づいて参加者に報酬を提供する。本システムは、本システムのインターネット上の取引支援に関する使用法を理解することによってより良く理解できる。インターネットは、非常に多くのウェブ・サイトの出現により有名になった。各サイトは、そのウェブを閲覧する訪問者に情報を提供するよう管理・構成されている。コンテンツプロバイダ（又は上述した特許の事例で説明されている「サイト・オーナー」）であると考えられているいくつかのウェブ・サイトは、閲覧セッションの間にユーザが興味を持つ情報を有する、１つ又はそれ以上のウェブページを含んでいる。コンテンツプロバイダは、後述する詳細な説明で示される提携者となりうる。
【００１７】
図１を参照すると、ユーザは一般的に、モデム・コネクション又はローカル・エリアのネットワーク・コネクションを介してインターネットにアクセスする。ユーザは、マイクロソフトのインターネット・エクスプローラ又はネットスケープ・ナビゲータのようなウェブ・ブラウザを用いてブロック１２０の提携者のページを訪問し、処理を開始する。提携者のページは、現在のイベント、ビジネス・ニュース、スポーツ、個人投資等に関するアーティクルを含む、主要なウェブページの１つのようなものである。提携者、又はサイト・オーナーは、動作中に、サーバに対する実質的なトラフィックを引き出すことができる、豊富な興味の対象を含んでいることが重要である。更に、提携者は、バナー・タイプの広告等を設定することが可能な、様々なウェブページに割り当てられたスペースを有している。このウェブページ上では、ブロック１２５のバナー広告（テキスト・リンク又はアイコン）がユーザに対して表示され、魅力的なディスカウント価格で商品やサービスの販売を宣伝する。提携者は更に、現実的な広告に使用される、テキストベース又は他の宣伝手段を提供することを期待されている。
【００１８】
バナー広告は、まず繋ぎ目がわからないような方法で、ブロック１３０の精算サーバにリンクされる。このリンクは次に、直接、ブロック１４０の業者サーバに（図１の内側の経路で示されるように）接続される。このリンクの処理の間に、ユーザは、ＨＴＴＰエントリーに付加される識別子の文字列と、彼らのサーバに配置される「ｃｏｏｋｉｅ」のようなものを有する。これらは、マーカーとして作用し、精算サーバがユーザを追跡することができ、また、そのユーザが購入したかどうか、及びいつ購入したかについて判断することができ、提携者に対して購入指示を行ったかどうかを判断することができる。提携者の選択に使用される識別子は指示ベクトル、すなわち、ウェブ上で行われるユーザの商取引によって生じる手数料の規模とそのあて先のような選択情報を追跡することに使用される、データ・フィールドを含む。これはおそらく、ユーザによる後の購入が手数料を誘起すると思われるチャリティーを含み、その手数料の一部は所定の期間内でチャリティーに付与される。選択可能なベクトルの一つであるチャリティーは、「ターゲット（Ｔａｒｇｅｔ）  ＩＤ」として認識されている。他の実施例において、償還するクーポンの一部又は「キャッシュバック（ｃａｓｈ  ｂａｃｋ）」アルゴリズムとして、ユーザは手数料の一部が学校、個人、又は個人の投資口座へ付与されることを要求できる。いかなる購入もクリックによる提携者への接続がなされた時に行われるため、ユーザは提携者に戻るかもしれないし、これはユーザの選択のチャリティーの付与や購入価格の低下といったことに起因し、それゆえユーザのローヤルティを生み出す。
【００１９】
動作の中心は、ネットワーク、特に、本発明の実施例に基づいた広告プログラムを形成する対象となる、任意の業者及び提携者に接続され、通信を行う精算サーバ１３０である。精算サーバは、複数の参加者の要求を満足させるのに十分な処理能力とメモリを備えると共に、提携宣伝からのクリック・スルートラフィックを備えている。この好適実施例において、精算サーバは、ＵＮＩＸ（登録商標）オペレーティング・システムによって構成されている。アパッチ（Ａｐａｃｈｅ：登録商標）のウェブ・サーバ上のオラクル（Ｏｒａｃｌｅ：登録商標）を使用するデータベース管理ソフトウェアは、特定のオペレーティング・システム環境のために構成されている。後述するように、精算サーバには、不正や非生産的な活動を阻止する能力が更に備えられている。
【００２０】
最後に、業者サーバ１４０は同様にネットワークに接続されている。業者サーバもまた、ＵＮＩＸ（登録商標）オペレーティング・システムで構成されることが好ましい。業者は、提携者によってなされる商取引に関する精算サーバにテキスト・ファイルのレポートを返送する。さらに、商品はユーザに配送される。
【００２１】
前述したように、精算サーバで購入に関する情報が受信された後は、手数料の算出が行われる。手数料は、業者及びサイト・オーナーの間で有効な元の取り決め、及び業者サイトへのアクセスに関するユーザの資格、即ち、ユーザが購入の前に２以上のバナー広告によって業者のサイトに向けられたのかどうかを含む、いくつかの変数の要素である。
【００２２】
２以上のバナー広告による場合、共有又は優先順位付けの計画が必要である。一旦これらの条件が満たされると、業者及び提携者に関する最後の計算が実行され、これには手数料の支払い、及び全ての取引明細の記録が含まれている。このように、収入に対する選択バナーの貢献度を詳細に示す、価値のあるレコードが作成され、これによって、宣伝手段の影響を正確に評価することができる。
【００２３】
業者側では、商品及びサービスは、ｓｋｕ’ｓとして認識されている識別子の符号で構成されている。ｓｋｕ’ｓは、業者の商品目録の統制やそのようなものの追跡を補助する。商品ｓｋｕ’ｓを含むデータベースは、通知のためにフォーマット化され、精算サーバに転送される。ユーザが提携者及び最終的な供給業者に接続すると、リンクは、ユーザのコマンドのライン上にｓｋｕの値を含む符号を配置し、これによって、より正確な商品の追跡が可能となる。
【００２４】
業者は、精算サーバ上に存在するプログラムを通じて、精算サーバによって認識可能な商取引の追跡リンクを構築しても良い。特に、業者サイトで提供されている商品のＵＲＬはコンピュータのクリップボードにコピーされる。そして精算サーバ上の特定のウェブページにアクセスされ、クリップボード上の商品のＵＲＬは、ページの指定された位置に「ペースト」される。さらに、業者は商品に関連するイメージをコピー、ペーストすることが可能であり、あるいはまた、リンク形成のために呈示された精算サーバのウェブページの指定されたフィールドにおける記述的な情報に分類することができる。一旦特定の情報が置かれると、精算サーバは、ジャバスクリプト、Ｐｅｒｌ、「Ｃ」のプログラムの少なくとも一方を介して、商取引の追跡に必要な全てのパラメータを含む、動作リンクを生成する。これは、精算サーバに関連する各業者のための、入力／出力リンク変換基準を含む精算サーバ上で、蓄積されたデータベースを介して確立される。
【００２５】
動作において、追跡のパラメータは、サイトのＩＤとセッションのＩＤを含み、これらは符号化される。この目的は、許可されていないエンティティ（ウェブ・ロボットやサーチ・エンジン等）によって、トラフィックや選択されたサイトの商取引のパターンが抽出されないようにすることにある。例えば、以下のＨＴＴＰのリンクは符号化されたＩＤを含む。
【００２６】
http://click.linksynergy.com/fs-
bin/stat?id=1Ｍh2Ｘiq9xＮＯ＆offerid=2164＆ul=1234           (1) 
ここで、「ｉｄ」は提携者のためのサイトのＩＤであり、値は１２８ビットのシークレット・キー・アルゴリズムや、Ｂａｓｅ６４バイナリによるＡＳＣＩＩの符号化等によって暗号化されるが、他の暗号化のアルゴリズムが使用されても良い。精算サーバに到達する際に、システムは暗号化されたＩＤを解釈し、そして、暗号化されたＩＤのフォーマットを保持させながら、クリック・スルーによって適切な業者に再転送する。このリンクは、Ｕ１のフィールドに配置される単一の変数のためにあり、標準的なＨＴＴＰのネーム／バリューのペアのフォーマットを使用する。前述のリンクは、Ｕ２のフィールドに全てが配置される複数の副変数を含むように変更されても良い。これは、式２で例証される。
【００２７】
http://click.linksynergy.com/fs-
bin/stat?id=1Ｍh2Ｘiq9xＮＯ＆offerid=2164＆ul=mem
ber％3Ｄ1234％26page％3Ｄpets                              (2)
前述した、ＵＲＬに添付されたＨＴＴＰのステートメントでは、fs-binは経路であり、statは列の残部の読み込みのためのプログラムであり、「？」はセパレータであり、第一のｉｄはコンテンツプロバイダの識別子であり、「ｏｆｆｅｒｉｄ」は業者のオファー・手数料の構造であり、Ｕ１のフィールドはネーム：バリューのペアで、ここでのアンパーサンド（＆）はセパレータとして使用される。式２の中のＵ１の文字列は、ネーム：バリューのペアとして現れる。
【００２８】
member=1234＆page=pets                                   (Ｕ１)
Ｕ１フィールドにおける処理の間に、エスケープ機能は、「＝」を１６進法の形態に変換する、即ち、上述のＵ１の「％３Ｄ」及び「＆」を「％２６」に変換し、上述の式２で示される文字列を作り出す。これは、コンテンツプロバイダの要求に従ってＵ１のフィールドに配置された副変数の処理を可能とし、同時に精算サーバはこれらの文字を用いたレポートを作成し、それらを選択された間隔でコンテンツプロバイダに返送する。典型的な副変数は、メンバーやページの識別子と、選択数表示を含む。
【００２９】
次に、図２を参照すると、クリックの不正を検出するためのプログラミング・ロジックが高水準のフローチャートで示されている。ロジックはスタート・ブロック２００から始まり、ブロック２１０におけるシステムは、連続で次のページを引き出したり、そのページに入り込んだりする。提携ウェブページが膨大であるために、連続的なレビューは多量のページ数を巻き込む可能性がある。それゆえ、システムは多数のサンプリング技術を利用することもあり、これはいくつかの方法を使用する可能性を示す。この方法によれば、カウンターの変数Ｉは、得られたページを増加させ、それらをスキャニング・プログラムに転送する（ブロック２２０）。
【００３０】
テスト２３０では、スキャンされたページについて、そのページのコンテンツにジャバスクリプトが存在するかどうかが判断される。ジャバスクリプトは、クリック−ループ処理を作り出すために使用されても良く、ジャバスクリプトのコマンドによって、宣伝リンク符号が連続的に誘起される。これは、ユーザによって購入のクリックが多数なされたという錯覚を引き起こす。しかしながら、これらのクリックは、同じＩＰアドレス、同一のパターン、時間の間隔、そしてそのようなものから生じるような、表示サインを持っている。ジャバスクリプトが検出された場合には、次のテスト２４０に分岐し、例えばバナー広告などの宣伝の手段に付随したジャバスクリプトが存在するかどうかテストされる。仮にこのテストにおいてもジャバスクリプトが検出された場合、システムはレポートを作成し、潜在的な不正のクリックの起源としてページを識別する（ブロック２５０）。ロジックはそれから２６０に続く。
【００３１】
ジャバスクリプトの検出アルゴリズムに加え、システムは更に、商取引の過去のパターンを評価することによって、不正クリックの可能性を追跡する。例えば、クリック・スルーが同じＩＤを含んでいる場合、システムは連続的なクリックの間隔を測定する。比較的早い速度のクリック、又は同一間隔でなされる複数のクリックは、そのクリックが機械的に作り出され、不正である可能性を示唆している。他のパターンが、個々のサイトからのトラフィックにおける大きなジャンプのような、更なる詳細を与えることもある。
【００３２】
短い間隔で単一の、又はグループ化されたＩＰアドレスから生成された大きなスケールのバースト・トラフィックのために、精算サーバのアパッチ（ａｐａｃｈｅ）サーバは、広告サーバのデータベースをヒットさせるようなトラフィックをブロックするようにプログラムされており、それによってある種のＤＯＳ（サービスの拒否）の働きかけから精算サーバを保護する。これらのタイプの検出された活動に基づいて、システムはレポートを作成し、より包括的な評価を引き出す。
【００３３】
提携ネットワーク内で、ウェブページのコンテンツの問題点を検出するために同様の処理が実行される。これは、選択された商品のためのバナーが、その商品にそぐわないコンテンツを含むページに配置された時に生じる。これを検出するために、システムは、いくつかの適切な基準に基づいてウェブページＷＰ（Ｉ）を抽出するために、選択的なダウンロードのプロセスを含む（ブロック２１０）。ブロック２２０では、システムは、ウェブページに付随する、関心の特に大きな商品に関するキーワードのライブラリを引き出す。これは、心臓病に関連する、ステーキ又はタバコ等のような商品のための言葉であっても良い。
【００３４】
図３を参照すると、システムはウェブページＷＰ（Ｉ）をスキャンし、スキャニングからコンパレーター・ファイルを作成する（ブロック３３０）。そしてこれは、キーワードのライブラリと比較され（テスト３４０）、検索に適合するとブロック３５０のロジックに分岐し、適合したキーワードを記録する。そしてシステムは、キーワードの適合に関するレポートを作成し（ブロック３６０）、次のページとライブラリのための処理を続ける（ブロック３７０）。
【００３５】
チャリティーへの手数料金額の配分は、ユーザ、サイトの少なくとも一方の基準を含む、いくつかの方法によってなされても良い。ユーザは業者のサイト又はコンテンツプロバイダのサイトに入り、ユーザが特定のターゲット、例えば、アメリカ癌学会又は「ＡＣＳ」のような慈善組織に対して手数料の支払いを行うことで、将来の購入を指名する形態を整える。一旦それが確立されると、その形態は、局所的に、又は精算サーバに蓄積されたデータベースに入力される。そして識別子が、そのユーザによってなされる、後に続く商取引を検出するために使用され、一旦それが検出されると、例えばＡＣＳのような指名された受取人に対して手数料を配分するために使用される。ターゲットの指名は、Ｕ１のフィールドにおける副変数のひとつで行われる。
【００３６】
その代わりとして、コンテンツプロバイダのサイト、業者のサイトの少なくとも一方は、自動的に指名された受取人に対する手数料ベクトルを誘起する、すなわち、ユーザのデータ入力とは無関係にユーザの商取引を行う、ローカル符号を持っても良い。例えば、ウェブページはそれ自身が購入のサイトとして、全ての購入がそのサイトで行われ、学校のような、選択された入力に対する手数料ベクトルを受ける、商品の選択のためのサイトであっても良い。この方法で、ネブラスカ大学は、ユーザによってなされる購入が、大学の銀行口座に資金をデポジットする手数料ベクトルを作り出す、業者のウェブページを含んでいると思われる。
【００３７】
これは図４で例証されている。その処理はブロック４００から始まり、手数料ＣＰ（ＩＤ）を生成する購入を検出するために、既にここで説明された機構を通じて、ユーザ（ＩＤ）が追跡される（ブロック４１０）。テスト４２０は、取引がコントリビューションプログラム（ｃｏｎｔｒｉｂｕｔｉｏｎ  ｐｒｏｇｒａｍ）によって支配されているのか、そしてユーザがメンバーであるかどうかを判断し、それらが適合した場合、ロジックはブロック４３０に分岐し、システムは適切な手数料ベクトルのパラメータＰｒｏｇ（ＩＤ）をロードする。購入の詳細がロードされ（ブロック４４０）、システムは手数料ベクトルをブロック４５０で割り当てる。
【００３８】
そのどちらのイベントにおいても、購入の手数料は記憶され（ブロック４６０）、システムは次のユーザとの取引に進む。
【００３９】
図５を参照すると、リンクへのエントリーのためのＨＴＴＰコマンドに関連した選択フィールドに提供される符号のレベルを概略的に示している。レベル１は、Ｕ１フィールドを含む３つの変数を示している。本発明に従って、Ｕ１フィールドはいくつかの副変数から構成され、それはマーカーによって分離されており、それによって、分析（ｐａｒｓｉｎｇ）・プログラムがＵ１フィールドで各副変数の始めと終わりを登録する。
【００４０】
前述した説明の通り、業者は、業者のテキスト・ファイルを利用して商取引に関する情報を精算サーバに転送する。ファイル内でＭ１フィールドとして認識されているフィールドにおいて、業者のそのファイルを介して、選択処理の特性が実行のために伝達される。例えば、Ｍ１フィールドは、新規の消費者の参照に対して、何度も購入を行う消費者よりも高い料金を設定して、コンテンツプロバイダに利潤を与えるという手数料の構造のもとで、新規のユーザによる購入をレポートすることもある。この設定は、Ｍ１フィールドに含まれ、精算サーバによる、コンテンツプロバイダに対する手数料の報告を管理することに用いられる。
【００４１】
典型的な業者のリターン・ファイルは、下記に示す表１で詳細に説明されているデータから形成されている。
【００４２】
【表１】
0004772731.tif 000002
【００４３】
ここまで、例示を目的として詳細に本発明を説明してきたが、こうした細部については、例示のために示したに過ぎず、当業者であれば、本発明の意図及び範囲から逸脱することなく、本発明に対する様々な変更を考えることができる。
【図面の簡単な説明】
【００４４】
【図１】本発明のデータ処理システムを概略的に示す概略図である。
【図２】フロー検出システムのロジック・フロー図である。
【図３】ウェブ・ページのアナライザのロジック・フロー図である。
【図４】手数料ベクトル・サブシステムのロジック・フロー図である。
【図５】変数の概念を示す図である。
【符号の説明】
【００４５】
１２０    提携者
１３０    清算サーバ
１４０    業者サーバ
１６０    ユーザ
【図１】
0004772731.tif 000003
【図２】
0004772731.tif 000004
【図３】
0004772731.tif 000005
【図４】
0004772731.tif 000006
【図５】
0004772731.tif 000007